(57)【要約】      （修正有）【課題】設定情報の内容を変更した場合であっても元の設定情報の内容に容易に戻すことができる有価媒体処理装置を提供する。【解決手段】有価媒体処理装置１００は、当該有価媒体処理装置を動作させるための設定情報であって、少なくとも一つの項目に対する設定情報の履歴情報を記憶した記憶部４５５から読み出した履歴情報により、当該有価媒体処理装置を制御する制御部１５０を備える。【選択図】図３
2016091382.tif 000002
【特許請求の範囲】
【請求項１】
有価媒体処理装置を動作させるための設定情報の履歴情報を記憶した記憶部から読み出した前記履歴情報により前記有価媒体処理装置を制御する制御部を備えたことを特徴とする有価媒体処理装置。
【請求項２】
前記記憶部は、操作者と前記設定情報とを関連付けて前記履歴情報を記憶していることを特徴とする請求項１に記載の有価媒体処理装置。
【請求項３】
前記記憶部は、日付又は時刻と前記設定情報とを関連付けて前記履歴情報を記憶していることを特徴とする請求項１又は２のいずれかに記載の有価媒体処理装置。
【請求項４】
一定の周期で取得した前記設定情報を前記履歴情報として前記記憶部に記憶させることを特徴とする請求項１乃至３のいずれか１項に記載の有価媒体処理装置。
【請求項５】
前記有価媒体処理装置が利用されたときに設定されていた設定情報を前記履歴情報として前記記憶部に記憶させることを特徴とする請求項１乃至４のいずれか１項に記載の有価媒体処理装置。
【請求項６】
設定情報が変更されると、変更された新たな設定情報又は変更される前の設定情報を前記履歴情報として前記記憶部に記憶させることを特徴とする請求項１乃至５のいずれか１項に記載の有価媒体処理装置。
【請求項７】
前記履歴情報の一覧リストを出力する出力部をさらに備えたことを特徴とする請求項１乃至６のいずれか１項に記載の有価媒体処理装置。
【請求項８】
前記有価媒体を識別する識別部をさらに備え、
前記設定情報の履歴情報には、前記識別部で前記有価媒体を識別する際に用いられる閾値が含まれることを特徴とする請求項１乃至７のいずれか１項に記載の有価媒体処理装置。
【請求項９】
前記有価媒体を搬送する搬送部と、
前記搬送部で搬送される前記有価媒体を識別する識別部と、
前記搬送部で搬送された前記有価媒体を収容する収容部と、
所定の情報を表示する表示部と、をさらに備え、
前記履歴情報には、前記識別部における前記有価媒体の識別に関する設定情報の履歴情報、前記収容部で収容される有価媒体の種類に関する設定情報の履歴情報、前記表示部における表示態様に関する設定情報の履歴情報及びネットワーク接続に関する設定情報の履歴情報のいずれか１つ以上を含むことを特徴とする請求項１乃至７のいずれか１項に記載の有価媒体処理装置。
【請求項１０】
取得された操作者情報に関連付けられた一つ以上の前記履歴情報を出力する出力部をさらに備えたことを特徴とする請求項１乃至９のいずれか１項に記載の有価媒体処理装置。
【請求項１１】
前記出力部は、取得された操作者情報に関連付けられた前記履歴情報のうち最新の前記履歴情報を出力することを特徴とする請求項１０に記載の有価媒体処理装置。
【請求項１２】
前記履歴情報は、少なくとも一つの項目に対する設定情報を含み、
前記記憶部は、前記項目毎に設定情報を記憶していることを特徴とする請求項１乃至１１のいずれか１項に記載の有価媒体処理装置。
【請求項１３】
前記出力部は、前記項目毎に設定情報の履歴情報を出力することを特徴とする請求項１２に記載の有価媒体処理装置。
【請求項１４】
前記出力部は、複数の前記項目に対する設定情報の履歴情報を一度に出力することを特徴とする請求項１２に記載の有価媒体処理装置。
【請求項１５】
有価媒体処理装置を動作させるための設定情報の履歴情報を記憶した記憶部と、
前記記憶部から前記履歴情報を出力する出力部と、
前記出力部から出力された前記履歴情報から少なくとも一つの設定情報を選択するための操作部と、
を備えたことを特徴とする有価媒体処理システム。
【請求項１６】
有価媒体処理装置を動作させるための設定情報の履歴情報を記憶した記憶部から前記履歴情報を読み出して出力することと、
出力された前記履歴情報から少なくとも一つの設定情報を選択することと、
を備えたことを特徴とする有価媒体処理方法。
【発明の詳細な説明】
【技術分野】
【０００１】
本発明は、紙幣、硬貨、小切手、商品券、バーコードチケット、チップ、コイン等の有価媒体を処理する有価媒体処理装置、有価媒体処理システム及び有価媒体処理方法に関する。
【背景技術】
【０００２】
従来から、硬貨処理装置、紙幣処理装置（有価媒体処理装置の一種）等の有価媒体処理装置において様々な設定を行うことが知られている。一例として、特許文献１では、紙幣の正損判別用の閾値を設定して記憶部に記憶させることが開示されている。なお、設定情報には、このような閾値に関する情報だけではなく、収容部で収容される有価媒体の種類に関する情報、表示部における表示態様に関する情報、ネットワークへ接続するためのネットワーク設定情報等の有価媒体処理装置におけるあらゆる設定に関する情報が含まれている。
【先行技術文献】
【特許文献】
【０００３】
【特許文献１】国際公開公報２０１１／１１４５１６号
【発明の概要】
【発明が解決しようとする課題】
【０００４】
操作者等は、上述した設定情報の内容を適宜変更することができる。しかしながら、このように設定情報の内容を変更した後で、再度、元の設定情報の内容に戻そうとしても、設定情報の設定が煩雑であることから、元の設定情報の内容に戻せないことがある。なお、設定情報の内容が変更された結果、有価媒体処理装置が正常に動作しなくなることもあり、その場合において元の設定情報の内容に戻せないと、有価媒体処理装置における有価媒体の処理自体が止まってしまう。
【０００５】
本発明は、このような点を鑑みてなされたものであり、設定情報の内容を変更した場合であっても元の設定情報の内容に容易に戻すことができる有価媒体処理装置、有価媒体処理システム及び有価媒体処理方法を提供する。
【課題を解決するための手段】
【０００６】
本発明による有価媒体処理装置は、
有価媒体処理装置を動作させるための設定情報の履歴情報を記憶した記憶部から読み出した前記履歴情報により前記有価媒体処理装置を制御する制御部を備える。
【０００７】
本発明による有価媒体処理装置において、
前記記憶部は、操作者と前記設定情報とを関連付けて前記履歴情報を記憶していてもよい。
【０００８】
本発明による有価媒体処理装置において、
前記記憶部は、日付又は時刻と前記設定情報とを関連付けて前記履歴情報を記憶していてもよい。
【０００９】
本発明による有価媒体処理装置において、
一定の周期で取得した前記設定情報を前記履歴情報として前記記憶部に記憶させてもよい。
【００１０】
本発明による有価媒体処理装置において、
前記有価媒体処理装置が利用されたときに設定されていた設定情報を前記履歴情報として前記記憶部に記憶させてもよい。
【００１１】
本発明による有価媒体処理装置において、
設定情報が変更されると、変更された新たな設定情報又は変更される前の設定情報を前記履歴情報として前記記憶部に記憶させてもよい。
【００１２】
本発明による有価媒体処理装置は、
前記履歴情報の一覧リストを出力する出力部をさらに備えてもよい。
【００１３】
本発明による有価媒体処理装置は、
前記有価媒体を識別する識別部をさらに備え、
前記設定情報の履歴情報には、前記識別部で前記有価媒体を識別する際に用いられる閾値が含まれてもよい。
【００１４】
本発明による有価媒体処理装置は、
前記有価媒体を搬送する搬送部と、
前記搬送部で搬送される前記有価媒体を識別する識別部と、
前記搬送部で搬送された前記有価媒体を収容する収容部と、
所定の情報を表示する表示部と、をさらに備え、
前記履歴情報には、前記識別部における前記有価媒体の識別に関する設定情報の履歴情報、前記収容部で収容される有価媒体の種類に関する設定情報の履歴情報、前記表示部における表示態様に関する設定情報の履歴情報及びネットワーク接続に関する設定情報の履歴情報のいずれか１つ以上を含まれてもよい。
【００１５】
本発明による有価媒体処理装置は、
取得された操作者情報に関連付けられた一つ以上の前記履歴情報を出力する出力部をさらに備えてもよい。
【００１６】
本発明による有価媒体処理装置において、
前記出力部は、取得された操作者情報に関連付けられた前記履歴情報のうち最新の前記履歴情報を出力してもよい。
【００１７】
本発明による有価媒体処理装置において、
前記履歴情報は、少なくとも一つの項目に対する設定情報を含み、
前記記憶部は、前記項目毎に設定情報を記憶してもよい。
【００１８】
本発明による有価媒体処理装置において、
前記出力部は、前記項目毎に設定情報の履歴情報を出力してもよい。
【００１９】
本発明による有価媒体処理装置において、
前記出力部は、複数の前記項目に対する設定情報の履歴情報を一度に出力してもよい。
【００２０】
本発明による有価媒体処理システムは、
有価媒体処理装置を動作させるための設定情報の履歴情報を記憶した記憶部と、
前記記憶部から前記履歴情報を出力する出力部と、
前記出力部から出力された前記履歴情報から少なくとも一つの設定情報を選択するための操作部と、
を備える。
【００２１】
本発明による有価媒体処理方法は、
有価媒体処理装置を動作させるための設定情報の履歴情報を記憶した記憶部から前記履歴情報を読み出して出力することと、
出力された前記履歴情報から少なくとも一つの設定情報を選択することと、
を備える。
【発明の効果】
【００２２】
本発明によれば、有価媒体処理装置を動作させるための設定情報の履歴情報を読み出すことができる。このため、設定情報の内容を変更した場合であっても、履歴情報を読み出すことで元の設定情報の内容に容易に戻すことができる。
【図面の簡単な説明】
【００２３】
【図１】図１は、本発明の実施の形態による有価媒体処理装置（紙葉類処理装置）の正面図である。
【図２】図２は、本発明の実施の形態による有価媒体処理装置の内部構成を前面側から見た概略内部構成図である。
【図３】図３は、本発明の実施の形態による有価媒体処理システムにおける接続態様を説明するための制御ブロック図である。
【図４】図４は、本発明の実施の形態による有価媒体処理システムの構成を示す構成図である。
【図５】図５（ａ）は、本発明の実施の形態による有価媒体処理システムで用いられる表示部で表示される内容の一例を示した図であり、図５（ｂ）は、図５（ａ）から遷移した内容の一例を示した図であり、図５（ｃ）は、図５（ａ）から遷移した内容の別の例を示した図である。
【図６】図６（ａ）は、本発明の実施の形態による有価媒体処理システムで用いられる表示部で表示される内容の一例を示した図であり、図６（ｂ）は、図６（ａ）から遷移した内容の一例を示した図であり、図６（ｃ）は、図６（ａ）から遷移した内容の別の例を示した図である。
【図７】図７は、本発明の実施の形態で用いられる別の有価媒体処理装置（紙葉類処理装置）の外観を示す斜視図である。
【図８】図８は、本発明の実施の形態で用いられるさらに別の有価媒体処理装置（硬貨処理装置）の内部構成を示す概略内部構成図である。
【発明を実施するための形態】
【００２４】
実施の形態
《構成》
以下、本発明に係る有価媒体処理装置の実施の形態について、図面を参照して説明する。ここで、図１乃至図８は本発明の実施の形態を説明するための図である。また、本実施の形態の有価媒体処理装置１００で処理される有価媒体としては、紙幣、硬貨、小切手、商品券、バーコードチケット、チップ、コイン等を挙げることができる。以下では、有価媒体処理装置１００が紙葉類（代表的には紙幣）を処理する態様を例に取って説明するが、これはあくまでも一例であり、これに限定されることがない。このため、以下で「紙葉類」となっている文言の各々を「有価媒体」と読み替えることができる。
【００２５】
ちなみに、本実施の形態において「有価媒体処理システム」は、「有価媒体処理装置１００」単体を含む概念として用いられている。このため、「特許請求の範囲」で記載されている「有価媒体処理システム」は、有価媒体処理装置１００そのものを意味することもあれば、有価媒体処理装置１００とそれ以外の装置とを組み合わせたものを意味することもある。以下では、主として、有価媒体処理システムが有価媒体処理装置１００とそれ以外の装置とを組み合わせたものを意味する態様を用いて説明する。
【００２６】
本実施の形態の有価媒体処理装置１００は、図２に示すように、筐体１０と、紙葉類を一枚ずつ筐体１０内に取り込む取込部２０と、取込部２０で取り込まれた紙葉類をほぼ水平方向の一方向（図２では左方向）に沿って搬送する第一搬送部３０と、第一搬送部３０で搬送される紙葉類を識別する識別部６０と、を備えている。取込部２０は、複数の紙葉類が積層状態で載置される載置部２９を有し、当該載置部２９に載置された紙葉類を一枚ずつ筐体１０内に取り込む。本実施の形態では、紙葉類は短手方向に沿って搬送されるようになっており、載置部２９には、短手方向が図２の左右方向に延び、長手方向が図２の紙面の法線方向に延びるように、紙葉類が載置される。
【００２７】
識別部６０は、例えば、蛍光を用いて紙葉類に関する情報を取得する蛍光センサ、赤外光を用いて紙葉類に関する情報を取得する赤外光センサ、紙葉類の厚みを検出する厚み検出センサ、磁気を用いて紙幣に関する情報を取得する磁気センサ、赤色光を用いて紙幣に関する情報を取得する赤色光センサ、赤外光と緑色光により紙面両面の反射光と透過光を検出するラインセンサ等を有していてもよい。
【００２８】
また、有価媒体処理装置１００は、第一搬送部３０の下方に位置し、識別部６０で識別された紙葉類を一方向と逆方向の他方向（図２では右方向）に沿って搬送する第二搬送部５０と、第一搬送部３０と第二搬送部５０との間に位置し、これら第一搬送部３０と第二搬送部５０とを連結する中間搬送部４０と、第二搬送部５０の下方に位置し、第二搬送部５０で搬送された紙葉類を集積するとともに前面側で開口（図１参照）した複数（本実施の形態では２つ）の集積部８０ａ，８０ｂも備えている。各集積部８０ａ，８０ｂには、集積部８０ａ，８０ｂの各々に対応して、第二搬送部５０で搬送された紙葉類を集積部８０ａ，８０ｂ内に集積させるための羽根車８１ａ，８１ｂが設けられている。
【００２９】
また、集積部８０ａ，８０ｂには、集積部８０ａ，８０ｂに集積された紙葉類を前面側に押し出すための押出部８５ａ，８５ｂ（図３参照）が設けられている。この押出部８５ａ，８５ｂは、予め定まった枚数の紙葉類が集積部８０ａ，８０ｂに集積された後で、当該集積部８０ａ，８０ｂに集積された紙葉類を当該集積部８０ａ，８０ｂの前面側の開口から筐体１０の外部に押し出すようになっている。このため、本実施の形態によれば、オペレータは、確実に予め定まった枚数だけ紙葉類を集積部８０ａ，８０ｂに集積させ、その後で、当該紙葉類を集積部８０ａ，８０ｂから容易に取り出すことができる。なお、押出部８５ａ，８５ｂは、載置部２９に載置された紙葉類の全てが集積部８０ａ，８０ｂ及び／又は後述するリジェクト部１１０に振り分けられた後で、集積部８０ａ，８０ｂに集積された紙葉類を各集積部８０ａ，８０ｂの前面側の開口から筐体１０の外部に押し出すようになってもよい。
【００３０】
図２に示すように、本実施の形態では、第一搬送部３０、中間搬送部４０及び第二搬送部５０は略Ｕ字形状となっている。そして、取込部２０によって筐体１０の内部に取り込まれた紙葉類は、第一搬送部３０、中間搬送部４０、第二搬送部５０の順に１枚ずつ搬送されることとなる。第一搬送部３０、中間搬送部４０及び第二搬送部５０はそれぞれ、搬送機構が組み合わされたものからなっている。この搬送機構は、一対又は３以上の搬送ローラと、各搬送ローラに張架された例えばゴムベルト等の搬送ベルトとから構成されている。なお、この搬送機構は、紙葉類に接する複数の搬送ローラと、各搬送ローラを駆動するゴムベルト等の駆動ベルトとから構成されていてもよい。
【００３１】
図２に示すように、取込部２０は、紙葉類の筐体１０内への繰り出しを行うフィードローラ２１と、フィードローラ２１に対向するよう設けられ当該フィードローラ２１との間にゲート部を形成する逆転ローラ２２と、載置部２９に収容された紙葉類をフィードローラ２１に蹴り出すキッカローラ２３と、キッカローラ２３により蹴りだされた紙葉類を確実にゲート部に取り込むための補助ローラ２４と、摩擦係数がフィードローラ２１よりも高くなっており、フィードローラ２１と逆転ローラ２２との間を通過した紙葉類を確実に第一搬送部３０内に取り込むためのピンチローラ２５とを有している。
【００３２】
上述した識別部６０は、第一搬送部３０で搬送される紙幣を含む紙葉類の正損、真偽、金種、方向、表裏等を識別するようになっている。識別部６０では、紙葉類が斜行していないか、紙葉類が重送していないか、前後の紙葉類が連鎖していないか等の搬送状態も識別される。識別部６０による識別結果は後述する装置制御部１５０（図３参照）に送られることとなる。
【００３３】
図１及び図２に示すように、本実施の形態では、前面側から見た場合に２つの集積部８０ａ，８０ｂが左右方向で並列に配設されている。そして、各集積部８０ａ，８０ｂは、筐体１０内に取り込まれた紙葉類のうち識別部６０により所定の条件を満たす紙葉類を立位状態（水平方向に対して４５度以上の角度）で積層して収容するようになっている。
【００３４】
本実施の形態では、集積部８０ａ，８０ｂの開口した側を「前面側」と定義付けて説明する。なお、筐体１０の側面側にも集積部８０ａ，８０ｂの開口を設けてもよいが、このような態様であっても、集積部８０ａ，８０ｂに集積された紙葉類は、主に前面側方向に取り出される。なお、本実施の形態で紙葉類を「水平方向に沿って」搬送するというのは、「水平方向」の成分を含んだ方向に紙葉類を搬送する態様のことを意味し、例えば上下方向でジグザグになった態様で紙葉類を水平方向に搬送する態様も含まれる。
【００３５】
図２に示すように、第二搬送部５０と集積部８０ａ，８０ｂとの間には、これら第二搬送部５０と集積部８０ａ，８０ｂとを連結する分岐搬送部７１，７２が設けられている。また、各集積部８０ａ，８０ｂに対応して、第二搬送部５０によって搬送される紙葉類を各分岐搬送部７１，７２に分岐する例えば爪形状からなる分岐部７６，７７が設けられている。
【００３６】
図１及び図２で示した態様では、２つの集積部８０ａ，８０ｂの水平方向の間に各集積部８０ａ，８０ｂに対応した羽根車８１ａ，８１ｂが設けられ、前面側から見て左側に位置する羽根車８１ａと前面側から見て右側に位置する羽根車８１ｂの回転方向は互いに逆方向になっている。より具体的には、前面側から見て左側に位置する集積部８０ａの右側下方に、前面側から見て反時計回りに回転する羽根車８１ａが設けられ、前面側から見て右側に位置する集積部８０ｂの左側下方に、前面側から見て時計回りに回転する羽根車８１ｂが設けられている。なお、これらの羽根車８１ａ，８１ｂは、各分岐搬送部７１，７２から各集積部８０ａ，８０ｂ内に向かって放出される紙葉類を、隣り合う羽根部分の間のスペースに受け入れ、紙葉類の向きや位置が整えられた状態で当該紙葉類を各集積部８０ａ，８０ｂに集積させる。 
【００３７】
図２に示すように、第二搬送部５０の終端には、集積部８０ａ，８０ｂに集積されない紙葉類を集積するためのリジェクト部１１０が設けられている。本実施の形態では、このリジェクト部１１０の少なくとも一部は、紙葉類の搬送方向において最も下流側に位置する集積部８０ｂの上方に設けられている。ちなみに、特許請求の範囲に記載された「収容部」には、集積部８０ａ，８０ｂとリジェクト部１１０の両方が含まれている。なお、これら集積部８０ａ，８０ｂ及びリジェクト部１１０は収容部の一例に過ぎない点には留意が必要である。
【００３８】
第二搬送部５０の終端には、紙葉類を筐体１０内からリジェクト部１１０へ繰り出す放出ローラ１１１と、この放出ローラ１１１に対向するよう設けられた対向ローラ１１２と、放出ローラ１１１と同軸に設けられた回転式の札叩きゴム１１３とを有する放出部１１４が設けられている。そして、第二搬送部５０の終端に送られた紙葉類は、放出ローラ１１１と対向ローラ１１２の間からリジェクト部１１０に放出されるようになっている。そして、このように放出させられた紙葉類は、札叩きゴム１１３でその後端縁が叩かれてリジェクト部１１０内に集積されるようになっている。 
【００３９】
また、リジェクト部１１０の端部（図２の右側端部）には、放出ローラ１１１と対向ローラ１１２の間から放出された紙葉類がリジェクト部１１０からはみ出して外部へ放出されるのが防止するためのストッパ１１５が設けられている。このストッパ１１５は時計回りに手動で回転させることができるようになっており、オペレータが手動でこのストッパ１１５を時計回りに回転させることにより、リジェクト部１１０に収容された紙葉類を自在に取り出すことができるようになっている。 
【００４０】
また、本実施の形態の第二搬送部５０は、紙葉類の搬送方向における下流側において、リジェクト部１１０に向かって上方に傾斜する傾斜部５１を有している。
【００４１】
本実施の形態では、集積部８０ａ，８０ｂは、水平方向に対して４５度以上の角度で傾斜した状態で紙葉類を集積するようになっている。図１及び図２で示した態様では、前方側から見て左側の集積部８０ａが、水平方向の一方向（図２の左方向。第二搬送部５０における紙葉類の搬送方向と逆方向。）に対して４５度以上の角度で傾斜した状態で紙葉類を集積し、前方側から見て右側の集積部８０ｂは、水平方向の一方向の逆方向（図２の右方向。第二搬送部５０における紙葉類の搬送方向と同じ方向。）に対して４５度以上の角度で傾斜した状態で紙葉類を集積するようになっている。なお、集積部８０ａ，８０ｂは水平方向に対して４５度以上の角度で傾斜した状態で紙葉類を集積するようになっていることが好ましいが、集積部８０ａ，８０ｂは水平方向に対して６０度〜７０度の角度で傾斜した状態で紙葉類を集積し、紙葉類を立位状態で集積するようになっていることがより好ましい。
【００４２】
また、図１及び図２で示した態様では、前方側から見て左側の集積部８０ａには、第二搬送部５０による紙葉類の搬送方向と逆方向（図２の略左側の方向）の成分を含む方向で紙葉類が順次繰り出され、前方側から見て右側の集積部８０ｂには、第二搬送部５０による紙葉類の搬送方向（図２の略右側の方向）の成分を含む方向で紙葉類が順次繰り出されるようになっている。
【００４３】
また、本実施の形態において、図１及び図２で示した態様では、上述したように、前面側から見て左側に位置する羽根車８１ａは反時計回りに回転し、前面側から見て右側に位置する羽根車８１ｂは時計回りに回転することから、羽根車８１ａの上部が第二搬送部５０による紙葉類の搬送方向と逆方向の成分を含む方向で回転され、羽根車８１ｂの上部が第二搬送部５０による紙葉類の搬送方向の成分を含む方向で回転されることとなる。
【００４４】
図２に示すように、取込部２０には、載置部２９に紙葉類が載置されているか否かを検知するセンサＳ１が設けられている。また、第一搬送部３０の入口部分にはセンサＳ２が設けられており、このセンサＳ２は、紙葉類が筐体１０内に確実に取り込まれたことを検知するようになっている。
【００４５】
センサＳ３は中間搬送部４０に設けられ、センサＳ４は上流側の分岐部７６の下流側に設けられ、センサＳ５は下流側の分岐部７７の下流側に設けられている。より具体的には、センサＳ３は中間搬送部４０に設けられており、第二搬送部５０において搬送される全ての紙葉類を検知するようになっている。センサＳ４は上流側の分岐部７６の下流側に設けられており、第二搬送部５０において搬送される紙葉類のうち分岐部７６により分岐搬送部７１に分岐されなかった紙葉類のみを検知するようになっている。また、センサＳ５は下流側の分岐部７７の下流側に設けられており、第二搬送部５０において搬送される紙葉類のうち二つの分岐部７６，７７によって分岐搬送部７１，７２に分岐されなかった紙葉類を検知するようになっている。 
【００４６】
各集積部８０ａ，８０ｂにはそれぞれセンサ８９ａ，８９ｂが設けられている。そして、これらのセンサ８９ａ，８９ｂは、各集積部８０ａ，８０ｂに紙葉類が収容されているか否かを検知するようになっている。また、リジェクト部１１０にもセンサＳ６が設けられており、このセンサＳ６は、リジェクト部１１０に紙葉類が収容されているか否かを検知するようになっている。 
【００４７】
上記では図１及び図２に示すような紙葉類を処理する有価媒体処理装置１００を前提とした説明であったことから有価媒体として「紙葉類」という文言を用いて説明したが、以下では、原則「有価媒体」という文言を用いて説明する。
【００４８】
図１に示すように、本実施の形態の有価媒体処理装置１００は、筐体１０の正面側に、操作者からの入力を受け付けるとともに、様々な情報を表示し、例えばタッチパネル等からなる操作表示部５も有している。なお、本実施の形態では、操作表示部５が、操作者からの入力を受け付ける操作部としての役割と、様々な情報を表示する表示部としての役割の両方を兼ねているが、このような態様に限られることはなく、操作部と表示部とが別々に設けられていてもよい。なお一例として、操作表示部５は７インチ程度の大きさからなる表示画面５ａを有している。ちなみに、操作表示部５は特許請求の範囲に記載された「表示部」に含まれている。
【００４９】
図３に示すように、本実施の形態の有価媒体処理装置１００は、当該有価媒体処理装置１００を動作させるための設定情報の履歴情報を記憶した装置記憶部１５５と、装置記憶部１５５から設定情報の履歴情報を読み出して有価媒体処理装置１００を動作させる装置制御部１５０と、を備えている。履歴情報は、少なくとも一つの項目に対する設定情報を含んでいてもよい。ここで、装置記憶部１５５は特許請求の範囲に記載された「記憶部」に含まれており、装置制御部１５０は特許請求の範囲に記載された「制御部」に含まれている。なお、読み出された設定情報の履歴情報は操作表示部５に表示される。ここで、操作表示部５は特許請求の範囲に記載された「出力部」に含まれている。この際、操作表示部５は、装置記憶部１５５に記憶された履歴情報を読み出して、その一覧リストを表示してもよい（図５（ｂ）（ｃ）及び図６（ｂ）（ｃ）参照）。この場合には、操作表示部５によって一つの履歴情報を例えばチェックボックスではなく日時や操作者ＩＤ番号を押下して選択することで、当該履歴情報の詳細な内容が操作表示部５で表示されてもよい。
【００５０】
装置記憶部１５５は、設定を行った又は利用した操作者と設定情報とを関連付けて記憶してもよい。ある操作者に対して複数の設定情報を関連付けることができる場合は、複数の設定情報の履歴情報を記憶していてもよい（図５（ｃ）及び図６（ｃ）参照）。また、装置記憶部１５５は、設定を行った又は利用した日付及び時刻（日時）と設定情報とを関連付けて履歴情報を記憶していてもよい（図５（ｂ）（ｃ）及び図６（ｂ）（ｃ）参照）。
【００５１】
また、履歴情報を検索できるようになっていてもよい。装置記憶部１５５が設定を行った又は利用した操作者と設定情報とを関連付けて履歴情報を記憶している場合には、例えば操作者を用いて検索を行うことで、取得したい設定情報の履歴情報を抽出することができる。また、装置記憶部１５５が設定を行った又は利用した日時と設定情報とを関連付けて履歴情報を記憶している場合には、例えば日時を用いて検索を行うことで、取得したい設定情報の履歴情報を抽出することができる。
【００５２】
なお、有価媒体処理装置１００では、一定の周期で設定情報を取得して、履歴情報として装置記憶部１５５に記憶させるようになっていてもよい（図５（ｂ）及び図６（ｂ）参照）。ちなみに、図５（ｂ）及び図６（ｂ）に示す態様では、一週間毎に設定情報が取得されて装置記憶部１５５で記憶されるものとなっている。
【００５３】
また、有価媒体処理装置１００では、設定情報が変更されて新たな設定情報として設定されると、当該新たな設定情報を変更した日付又は時刻と関連付けた履歴情報として装置記憶部１５５に記憶させてもよい（図５（ｃ）及び図６（ｃ）参照）。また、変更される前の設定情報を変更した日付又は時刻と関連付けた履歴情報として装置記憶部１５５に記憶させてもよい（図５（ｃ）及び図６（ｃ）参照）。
【００５４】
装置記憶部１５５で記憶されている設定情報の履歴情報には、項目毎の設定情報が含まれてもよい。項目として、識別部６０における有価媒体の識別に関する項目、集積部８０ａ，８０ｂで収容される有価媒体の種類に関する項目、表示部における表示態様に関する項目及びネットワーク接続に関する項目のいずれか１つ以上が含まれてもよい。そして、有価媒体の識別に関する項目の設定情報には、識別部６０で有価媒体を識別する際に用いられる閾値が含まれてもよい。なお、閾値は例えば０〜２５５の値（２５６段階の値）を取ってもよい。ここで有価媒体が紙幣であって、紙幣の正損を識別する場合を例に取って説明すると、装置制御部１５０が、装置記憶部１５５で記憶された正損に関する閾値と識別部６０による識別結果に基づく数値とを比較することで、「UNFIT」の紙幣であるのか、「Teller-FIT」の紙幣であるのか、「ATM-FIT」の紙幣であるのかが判断されることとなる。ちなみに、銀行等の金融機関に設けられたＡＴＭでは出金紙幣として利用できないが、銀行等の金融機関の窓口では出金紙幣として利用できる紙幣は「Teller-FIT」と分類され、全ての正損要因について、厳しい閾値と比較しても正券と判断された紙幣であって、銀行等の金融機関に設けられたＡＴＭでも出金紙幣として利用できる紙幣は「ATM-FIT」と分類され、銀行等の金融機関の窓口での出金紙幣として利用できない紙幣は「UNFIT」と分類される。
【００５５】
ちなみに有価媒体の正損を分類するための要因には複数の正損要因１〜正損要因Ｎが含まれており、これらの正損要因１〜正損要因Ｎには、形状、サイズ、欠け、穴、汚れ、透かし異常、折れ、しわ、落書き、テープ貼り、疲労、裂け等が含まれていてもよい。
【００５６】
装置制御部１５０は、取得された操作者情報（例えば操作者ＩＤ番号等）に関連付けられた一つ以上の履歴情報を装置記憶部１５５から読み出すようになっていてもよい。この際、装置制御部１５０は、取得された操作者情報に関連付けられた履歴情報のうち最新の履歴情報を装置記憶部１５５から読み出すようになっていてもよい。また、取得された操作者情報に関連付けられた履歴情報のうち新しい情報を所定数（例えば５個）だけ装置記憶部１５５から読み出すようになっていてもよい。この場合には、例えば操作表示部５から操作者が装置記憶部１５５から読み出された履歴情報から適宜好ましいものを選択することになる。ちなみにこのように所定数の情報を読み出す態様を採用した場合において、所定数の数だけの情報が装置記憶部１５５に記憶されていない場合には、装置記憶部１５５に記憶されている当該操作者に関連付けられた履歴情報の全てが読み出されることとなる。
【００５７】
上述した操作者情報は、例えば操作表示部５から入力することで取得されてもよいが、有価媒体処理装置１００に接続された管理装置２００（図４参照）からの入力を受けて取得されてもよいし、有価媒体処理装置１００に接続されたカードリーダ等からなる操作者情報取得部１５７（図３参照）によって取得されてもよい。なお、図４に示すように複数台の有価媒体処理装置１００に１台の管理装置２００が接続されていてもよいが、これに限られることはなく、例えば１台の有価媒体処理装置１００に１台の管理装置２００が接続されていてもよい。
【００５８】
なお、操作者情報が取得されると、操作者によって設定された又は利用された、有価媒体処理装置１００を動作させるための設定情報と、当該操作者の操作者情報とが関連づけられて装置記憶部１５５に記憶されてもよい。
【００５９】
本実施の形態の装置記憶部１５５は、項目毎に設定情報を記憶していてもよい。このような態様を採用した場合には、装置制御部１５０は、項目毎に設定情報を装置記憶部１５５から読み出すことができるようになっていてもよい。また、装置制御部１５０は、複数の項目に対する設定情報の履歴情報を一度に装置記憶部１５５から読み出すことができるようになっていてもよい。なお、図５（ａ）及び図６（ａ）では、全ての項目に対する設定情報の履歴情報を表示させるための「All Setting」、主に操作者が設定する項目に対する設定情報の履歴情報を表示させるための「User Setting」、ネットワーク接続に関する項目の設定情報の履歴情報を表示させるための「Network Setting」、正損に関する項目の設定情報の履歴情報を表示させるための「Fitness Value Setting」、真偽に関する項目の設定情報の履歴情報を表示させるための「Genuine Value Setting」、主にメンテナンス者が利用する項目に対する設定情報の履歴情報を表示させるための「Maintenance Setting」が表示されている。このうち「All Setting」、「User Setting」、「Network Setting」又は「Maintenance Setting」を選択すると、複数の項目に対する設定情報の履歴情報が一度に装置記憶部１５５から読み出されて表示されることとなり、他方、「Fitness Value Setting」を選択すると正損に関する項目に対する設定情報の履歴情報が読み出されて表示され、「Genuine Value Setting」を選択すると真偽に関する項目に対する設定情報の履歴情報が読み出されて表示されることとなる。
【００６０】
本実施の形態では「項目」として、正損に関する項目や真偽に関する項目といった単位で説明するが、これに限られることはなく、さらに細分化したものを「項目」として用いてもよい。つまり、正損に関する項目には、形状、サイズ、欠け、穴、汚れ、透かし異常、折れ、しわ、落書き、テープ貼り、疲労、裂け等の正損要因が含まれているが、これら正損要因を「項目」としてもよい。また、真偽に関する項目には、最適フィルタ選択判定、蛍光判定、スレッドパターン判定、インクパターン判定、厚み、テープ貼り等の真偽要因が含まれているが、これら真偽要因を「項目」としてもよい。ちなみに、正損要因及び真偽要因の各々に対して、例えば０〜２５５の値（２５６段階の値）を設定できるようになっていてもよい。
【００６１】
図３に示すように、有価媒体処理装置１００は、有価媒体処理装置１００を制御する装置制御部１５０も備えている。この装置制御部１５０には、図３に示すように、取込部２０、第一搬送部３０、中間搬送部４０、第二搬送部５０、識別部６０、装置記憶部１５５、分岐部７６，７７、リジェクト部１１０、羽根車８１ａ，８１ｂ、各種センサＳ１−Ｓ６，８９ａ，８９ｂ、操作表示部５、押出部８５ａ，８５ｂ及び放出部１１４が接続されている。そして、装置制御部１５０は、これら取込部２０、第一搬送部３０、中間搬送部４０、第二搬送部５０、識別部６０、装置記憶部１５５、分岐部７６，７７、リジェクト部１１０、羽根車８１ａ，８１ｂ、各種センサＳ１−Ｓ６，８９ａ，８９ｂ、操作表示部５、押出部８５ａ，８５ｂ及び放出部１１４から情報を取得したり、これらに対して指示を与えたりするようになっている。
【００６２】
なお、装置制御部１５０には、上述した操作者情報取得部１５７及び後述する外部制御部３５０等も接続されており、これら操作者情報取得部１５７及び外部制御部３５０から情報を取得したり、これらに対して指示を与えたりするようになっている。
【００６３】
ところで、上記では装置記憶部１５５が履歴情報を記憶している態様を用いて説明したが、これに限られることはなく、有価媒体処理装置１００以外の外部装置３００が外部記憶部３５５を有しており（図３参照）、この外部記憶部３５５が履歴情報を記憶していてもよい。そして、この外部記憶部３５５は上述した装置記憶部１５５と全く同様の機能を果たしてもよい。この外部記憶部３５５も特許請求の範囲に記載された「記憶部」に含まれている。ちなみに、本実施の形態における「外部装置３００」は対象としている装置以外のあらゆる装置のことを意味しており、「有価媒体処理装置１００以外の外部装置３００」には、有価媒体処理装置１００以外のあらゆる装置が含まれている。外部装置３００の一例としては、上述した管理装置２００を挙げることができる。
【００６４】
また、図３に示すように、外部装置３００が外部操作部３０６を有していてもよい。この外部操作部３０６によって、装置制御部１５０で読み出された複数の履歴情報から一つの履歴情報を選択することができるようになっていてもよい。なお、外部操作部３０６は、操作表示部５が果たす操作部としての機能と同様の機能を果たしてもよい。
【００６５】
また、図３に示すように、外部装置３００が外部表示部３０５を有していてもよい。なお、外部表示部３０５は、操作表示部５が果たす表示部としての機能と同様の機能を果たしてもよい。この外部表示部３０５も特許請求の範囲に記載された「表示部」に含まれている。
【００６６】
また、図３に示すように、外部装置３００が外部制御部３５０を有していてもよい。この外部制御部３５０は、装置制御部１５０が果たす機能と同様の機能を果たしてもよい。
【００６７】
この外部制御部３５０は、少なくとも、装置記憶部１５５又は外部記憶部３５５から履歴情報を読み出す機能において、装置制御部１５０が果たす機能と同様の機能を果たしてもよい。この外部制御部３５０も特許請求の範囲に記載された「制御部」に含まれている。なお、以下では、装置制御部１５０が後述する記憶部４５５から履歴情報を読み出す態様を用いて説明するが、これはあくまでも一例であることには留意が必要である。
【００６８】
以下では、装置記憶部１５５、外部記憶部３５５、又は、装置記憶部１５５及び外部記憶部３５５の両方を意味する用語として「記憶部４５５」を用いる。また、操作表示部５、外部操作部３０６、又は、操作表示部５及び外部操作部３０６の両方を意味する用語として「操作部４０６」を用いる。また、操作表示部５、外部表示部３０５、又は、操作表示部５及び外部表示部３０５の両方を意味する用語として「表示部４０５」を用いる。また、装置制御部１５０、外部制御部３５０、又は、装置制御部１５０及び外部制御部３５０の両方を意味する用語として「制御部４５０」を用いる。
【００６９】
また、上述したように、集積部８０ａ，８０ｂは収容部の一例であることから、以下では、集積部８０ａ，８０ｂを用いずに「収容部４８０」を用いて説明する。この収容部４８０には、集積部８０ａ，８０ｂのように前面側の開口を有するものだけでなく、外部から隔離された空間に紙葉類を集積するものや、装置本体から取り外し可能なカセット方式としたものも含まれる。また、この収容部４８０には、紙葉類を集積するものだけではなく、硬貨等の他の有価媒体を集積するものも含まれる（後述する図８の硬貨収容部１６０参照）。
【００７０】
《方法》
以下では、本実施の形態による有価媒体処理装置１００において、記憶部４５５で記憶された設定情報の履歴情報を読み出す態様について説明する。但し、以下で示す態様はあくまでも一例であり、これに限定されることがないことには留意が必要である。
【００７１】
有価媒体処理装置１００を操作するのに先立って、操作部４０６や操作者情報取得部１５７等から、当該有価媒体処理装置１００を操作する操作者情報が取得される。
【００７２】
このように操作者情報が取得されると、表示部４０５は、履歴情報を選択するための画面を表示する。図５（ａ）及び図６（ａ）に示す態様では、「All Setting」、「User Setting」、「Network Setting」、「Fitness Value Setting」、「Genuine Value Setting」及び「Maintenance Setting」が表示部４０５で表示されている。なお、表示部４０５における表示内容はスクロールできるようになっていてもよく、図５（ａ）及び図６（ａ）においても、表示内容をスクロールさせることで、例えば図５（ａ）及び図６（ａ）に示された三角矢印（「
2016091382.tif 000003
」又は「
2016091382.tif 000004
」）を押下することで、別の選択内容が表示部４０５で表示されるようになっていてもよい。
【００７３】
操作部４０６によって操作者が履歴情報の読み出しを希望する設定情報を選択すると、記憶部４５５に記憶された当該設定情報に対する履歴情報が表示部４０５で表示されることとなる。ちなみに、図５（ｂ）（ｃ）は、図５（ａ）において「All Setting」が選択された結果、表示される内容の一例であり、図６（ｂ）（ｃ）は、図６（ａ）において「Fitness Value Setting」が選択された結果、表示される内容の一例である。
【００７４】
そして、操作部４０６によって例えばチェックボックスを押下することで操作者が復元したい履歴情報を選択する。このことによって、選択された履歴情報の内容が項目毎に又は複数の項目に対して有価媒体処理装置１００に設定されることになる。
【００７５】
設定情報に対する履歴情報が表示される際、図５（ｂ）（ｃ）及び図６（ｂ）（ｃ）に示すように、表示部４０５は、記憶部４５５に記憶された履歴情報を読み出して、その一覧リストを表示してもよい。より具体的には、表示部４０５は、操作者を含めた態様で、当該操作者によって設定された又は利用された設定情報の履歴情報のリストを一覧で表示してもよいし、設定が行われた日時又は利用された日時を含めた態様で、設定情報の履歴情報のリストを一覧で表示してもよい（図５（ｂ）及び図６（ｂ）参照）。また、当然、操作者と、設定が行われた日時又は利用された日時とを含めた態様で、設定情報の履歴情報のリストを一覧で表示してもよい（図５（ｃ）及び図６（ｃ）参照）。なお、図５（ｂ）（ｃ）及び図６（ｂ）（ｃ）に示す態様では、操作部４０６によって一つの履歴情報を例えばチェックボックスではなく日時や操作者ＩＤ番号を押下して選択することで、当該履歴情報の詳細な内容が表示部４０５で表示されるようになっていてもよい。
【００７６】
また、操作者情報が取得されると、装置制御部１５０が、取得された操作者情報に関連付けられた一つ以上の履歴情報を記憶部４５５から読み出すようになっていてもよい。この場合には、表示部４０５は、操作者情報に対応した操作者を含めた態様で、当該操作者によって設定された又は利用された設定情報の履歴情報のリストを一覧で表示してもよいし、当該操作者と、設定が行われた日時又は利用された日時とを含めた態様で、当該操作者によって設定された又は利用された設定情報の履歴情報のリストを一覧で表示してもよい（図５（ｃ）及び図６（ｃ）参照）。
【００７７】
記憶部４５５が項目毎に設定情報を記憶している場合には、制御部４５０が項目毎に設定情報を記憶部４５５から読み出し、表示部４０５が項目毎に設定情報を表示してもよい（図６（ｂ）（ｃ）参照）。また、この際、項目毎に一つずつ表示される必要はなく、制御部４５０が複数の項目に対する設定情報を一度に記憶部４５５から読み出し、表示部４０５が複数の項目に対する設定情報を一度に表示してもよい（図５（ｂ）（ｃ）参照）。
【００７８】
記憶部４５５で記憶されている履歴情報には、識別部６０で有価媒体を識別する際に用いられる閾値が含まれてもよい。また、記憶部４５５で記憶された設定情報の履歴情報には、識別部６０における有価媒体の識別に関する設定情報の履歴情報、収容部４８０で収容される有価媒体の種類に関する設定情報の履歴情報、表示部４０５における表示態様に関する設定情報の履歴情報及びネットワーク接続に関する設定情報の履歴情報のいずれか１つ以上が含まれてもよい。
【００７９】
そして、表示部４０５において設定情報の履歴情報のリストが一覧で表示されると、操作者が操作部４０６から複数の履歴情報から一つの履歴情報を選択し、当該履歴情報と同じ設定内容で有価媒体処理装置に設定を行ってもよい。この際、操作者は、項目毎に選択する履歴情報を変えてもよい。
【００８０】
また、上述したように操作者情報が取得されると、制御部４５０は、取得された操作者情報に関連付けられた設定情報を記憶部４５５から読み出し、有価媒体処理装置１００の設定が自動で行われるようになっていてもよい。このとき、複数の設定情報が履歴情報として記憶されている場合は、履歴情報のうち最新の履歴情報を記憶部４５５から読み出すようになっていてもよい。この場合には、読み出された最新の履歴情報に基づいて有価媒体処理装置１００の設定が自動で行われる。また、取得された操作者情報に関連付けられた履歴情報のうち新しい情報を所定数（例えば５個）だけ記憶部４５５から読み出すようになっていてもよい。この場合には、例えば操作者が記憶部４５５から読み出された履歴情報から適宜好ましいものを操作部４０６によって選択することで、当該履歴情報に基づいて有価媒体処理装置１００の設定が行われる。
【００８１】
読み出された履歴情報のうち操作部４０６から選択されたもの、自動で設定されたもの又は操作者により変更されたものを設定情報として用いたり、既に設定されていたものをそのまま設定情報として用いて有価媒体処理装置１００における有価媒体の処理を行う場合には、操作者が操作部４０６から設定を確定する旨の入力を行ったり有価媒体の処理を開始したりすることで、当該操作者によって当該設定情報が用いられたことが履歴情報として記憶部４５５に記憶されてもよい。この際、記憶部４５５は、利用した操作者と設定情報とを関連付けて記憶部４５５に記憶させていてもよいし、（設定を確定する旨の入力を行ったり有価媒体の処理を開始したりした）利用日時と設定情報とを関連付けて記憶部４５５に記憶させていてもよいし、当然、利用した操作者及び（設定を確定する旨の入力を行ったり有価媒体の処理を開始したりした）利用日時と、設定情報とを関連付けて記憶部４５５に記憶させていてもよい。また、有価媒体の処理を、処理単位毎に識別するＩＤ（取引ＩＤ又は処理ＩＤ）と、設定情報とを関連付けて記憶部４５５に記憶させていてもよい。
【００８２】
読み出された履歴情報のうち操作部４０６から選択されたもの又は既に設定されていたものを変更した後で有価媒体処理装置１００における有価媒体の処理を行う場合には、操作者が履歴情報を変更した後で操作部４０６から設定を確定する旨の入力を行ったり有価媒体の処理を開始したりすることで、当該操作者によって当該設定情報が変更されて用いられたことが履歴情報として記憶部４５５に記憶されてもよい。この際にも、記憶部４５５は、設定を行った操作者と新たな設定情報とを関連付けて記憶部４５５に記憶させていてもよいし、（設定を確定する旨の入力を行ったり有価媒体の処理を開始したりした）設定日時と新たな設定情報とを関連付けて記憶部４５５に記憶させていてもよいし、当然、設定を行った操作者及び（設定を確定する旨の入力を行ったり有価媒体の処理を開始したりした）設定日時と、新たな設定情報とを関連付けて記憶部４５５に記憶させていてもよい。また、有価媒体の処理を、処理単位毎に識別するＩＤ（取引ＩＤ又は処理ＩＤ）と、新たな設定情報とを関連付けて記憶部４５５に記憶させていてもよい。
【００８３】
また、上述したような態様と併用して又は上述した態様とは異なり、一定の周期（例えば１週間ごと）で取得した設定情報を履歴情報として記憶部４５５に記憶させるようになっていてもよい（図５（ｂ）及び図６（ｂ）参照）。上述したような態様と併用する場合には、有価媒体処理装置１００における有価媒体の処理が行われる度又は設定情報が変更される度にそのときの設定情報が履歴情報として記憶されるだけではなく、一定の周期毎に設定情報が読み出されて履歴情報として記憶されることとなる。
【００８４】
なお、上述したような態様と併用して又は上述した態様とは異なり、有価媒体処理装置１００において設定を行っている際に設定情報が変更されると、変更される前の設定情報を履歴情報として記憶部４５５に記憶させるようになっていてもよい。
【００８５】
《効果》
次に、本実施の形態による有価媒体処理装置１００によって達成される効果であって、まだ述べていない効果、又は、とりわけ重要な効果について説明する。
【００８６】
本実施の形態によれば、有価媒体処理装置１００を動作させるための設定情報であって、少なくとも一つの項目に対する設定情報の履歴情報を読み出すことができる。このため、設定情報の内容を変更した場合であっても、履歴情報を読み出すことで当該項目に関して元の設定情報の内容に容易に戻すことができる。
【００８７】
また、本実施の形態によれば、記憶部４５５が、設定を行った又は利用した操作者と設定情報とを関連付けて履歴情報を記憶していてもよい。この場合には、表示部４０５は、操作者を含めた態様で、当該操作者によって設定された又は利用された設定情報の履歴情報を表示させることができる（図５（ｃ）及び図６（ｃ）参照）。このため、操作者は、適当な操作者を選択することで（典型的には自己を選択することで）、設定したい内容の履歴情報を読み出すことができる。このとき、操作者に関連する履歴情報のみを表示させてもよい。なお、操作者が他人の設定した設定情報を利用したい場合には、当該他人を選択することで、当該他人が設定した設定情報を用いて有価媒体処理装置１００による処理を行うことができる。
【００８８】
また、記憶部４５５は、設定を行った又は利用した日時と設定情報とを関連付けて履歴情報を記憶していてもよい。この場合には、表示部４０５は、設定を行った又は利用した日時を含めた態様で、設定情報の履歴情報を表示させることができる（図５（ｂ）及び図６（ｂ）参照）。このため、操作者は、適当な日時を選択することで（典型的には自己が最後に設定を行った又は利用した日時を選択することで）、設定したい内容の履歴情報を読み出すことができる。
【００８９】
なお、記憶部４５５が、設定を行った操作者及び日時、又は、利用した操作者及び日時と、設定情報とを関連付けて履歴情報を記憶している場合には、表示部４０５は、設定を行った操作者及び日時、又は、利用した操作者及び日時を含めた態様で、設定情報の履歴情報を表示させることもできる（図５（ｃ）及び図６（ｃ）参照）。このため、操作者が、適当な操作者と日時を選択することで（典型的には操作者として自己を選択するとともに、最後に設定を行った又は利用した日時を選択することで）、設定したい内容の履歴情報を読み出すことができる。
【００９０】
ちなみに、履歴情報を検索できるようになっている態様を採用した場合には、取得したい設定情報の履歴情報を、例えば操作者や日時等を用いて検索することで、抽出することができる。このため、操作者は、自己が取得した設定情報の履歴情報を容易に取得することができる。このように履歴情報を検索する場合には、日時に関して範囲を絞って検索することができてもよい。
【００９１】
本実施の形態において、一定の周期（例えば１週間ごと）で取得した設定情報を履歴情報として記憶部４５５に記憶させる態様を採用した場合には、一定の周期毎に随時、設定情報を更新することができる。このため、有価媒体処理装置１００の設定情報を随時更新して記憶部４５５に記憶させることができる。
【００９２】
また、記憶部４５５から読み出された履歴情報に含まれる設定情報が変更されない場合には、当該設定情報は改めて履歴情報として記憶部４５５に記憶されず、記憶部４５５から読み出された履歴情報に含まれる設定情報が変更されて新たな設定情報として設定されることで、当該新たな設定情報を履歴情報として記憶部４５５に記憶させるようにしてもよい。このような態様を採用した場合には、記憶部４５５から読み出された設定情報について変更があったときにのみ、当該設定情報を履歴情報として記憶部４５５に記憶させることができるので、少ない容量で最新の設定情報を記憶部４５５に記憶させることができる。
【００９３】
また、記憶部４５５から読み出された履歴情報に含まれる設定情報が変更されない場合であっても、当該設定情報を用いて有価媒体処理装置１００における有価媒体の処理が行われた場合には、当該設定情報が履歴情報として記憶部４５５に記憶されてもよい。このような態様を採用した場合には、記憶部４５５から読み出された設定情報について変更がなくても当該設定情報が履歴情報として記憶部４５５に記憶することができるので、例えば日時に関連づけて設定情報が記憶部４５５で記憶される場合には、古い日時まで遡って選択することなく最近の日時を操作者が選択することで、自己が利用していた設定情報（履歴情報）を読み出すことができる。
【００９４】
また、（例えば有価媒体処理装置１００において設定を行っている際に）設定情報が変更されると、変更される前の設定情報を履歴情報として記憶部４５５に記憶させるようになっていてもよい。このような態様を採用した場合には、設定情報について変更があったときにのみ、変更前の設定情報を履歴情報として記憶部４５５に記憶させることができるので、やはり少ない容量で最新の設定情報を記憶部４５５に記憶させることができる。
【００９５】
表示部４０５による表示態様は様々な態様が考えられるが、表示部４０５が履歴情報のリストを一覧で表示する場合には（図５（ｂ）（ｃ）及び図６（ｂ）（ｃ）参照）、操作者が履歴情報を一目で確認することができるので、非常に有益である。設定を行った又は利用した日時と設定情報とが関連付けて記憶されている場合には、表示部４０５は、例えば、設定情報を、設定を行った又は利用した日時において新しいものから順に一覧表示（一覧リストで表示）してもよい。また、設定を行った又は利用した操作者と設定情報とが関連づけて記憶されている場合には、表示部４０５は、例えば、設定情報を、設定を行った又は利用した操作者の操作者ＩＤ番号順、又は、氏名のあいうえお順若しくはアルファベット順で一覧表示してもよい。
【００９６】
記憶部４５５で記憶されている履歴情報に、識別部６０で有価媒体を識別する際に用いられる閾値が含まれている場合には、閾値に関する過去の設定情報を適宜読み出すことができる。このため、例えば、ある時点と同じ閾値を用いて有価媒体の識別を行って、有価媒体を分類することができる。この点、閾値は設定の仕方によって有価媒体の分類される態様がかなり変わることがあり、本態様のように、閾値に関する過去の設定情報を適宜読み出すことができることは非常に有益である。
【００９７】
また、記憶部４５５で記憶されている履歴情報に識別部６０における有価媒体の識別に関する設定情報の履歴情報が含まれている場合には、上述した閾値だけに限らず、有価媒体の識別に関する設定情報の履歴情報を適宜読み出すことができる。このため、例えば、識別に関してある時点と同じ設定情報を用いて有価媒体を識別することができる。
【００９８】
また、記憶部４５５で記憶されている履歴情報に収容部４８０で収容される有価媒体の種類に関する設定情報の履歴情報が含まれている場合には、収容部４８０で収容される有価媒体に関する設定情報を適宜読み出すことができる。このため、例えば、ある時点と同じ分類パターン（スタッカパターン）を用いて有価媒体を収容部４８０に収容させることができる。有価媒体処理装置１００が紙葉類処理装置である場合を例にとって説明すると、集積部及びリジェクト部等の収容部４８０に収容される紙葉類に関する履歴情報を読み出して、ある時点と同じ分類パターンを用いて、収容部４８０に紙葉類を収容することができる。このスタッカパターンにおいては、各収容部４８０に対して、通貨の種類、貨幣の金種、貨幣の刷種、紙葉類の正損、紙葉類の表裏及び紙葉類の方向の各々について、指定モード、自動決定モード、動的決定モード、混合モード及び指定外モードのいずれかを設定することができるようになっていてもよい。
【００９９】
ここで、指定モードは、収容部４８０に収容される有価媒体の分類用種別の内容を予め指定するモードである。自動決定モードは、１取引分の有価媒体の処理において、識別部６０が指定した順番で（例えば１番目、２番目等に）識別した分類用種別の内容を、対応する収容部４８０に収容する有価媒体の内容とするものである。動的決定モードは、貨幣を処理している間に、識別部６０の識別結果に基づいて収容部４８０に収容される有価媒体を割り当てるモードであるが、自動決定モードと異なり、何番目の有価媒体であっても割り当て可能となっている。例えば識別した有価媒体の種別が、どの収容部４８０にも割り当てられておらず、割当てが決定していない収容部４８０のうち、動的決定モードが設定されている収容部４８０がある場合、その収容部４８０に、識別した有価媒体の内容が割り当てられる。混合モードは、分類用種別の内容を問わず有価媒体を集積するモードである。指定外モードは、他の収容部４８０に収容されない有価媒体を集積するモードである。
【０１００】
また、記憶部４５５で記憶されている履歴情報に表示部４０５における表示態様に関する設定情報の履歴情報が含まれている場合には、表示部４０５における表示態様に関する設定情報を適宜読み出すことができる。このため、例えば、ある時点と同じ表示態様を用いて表示部４０５で様々な情報を表示させることができる。なお、表示態様には、表示部４０５の色、明るさ、文字の大きさ、表示される情報の内容、表示される情報の位置等が含まれている。
【０１０１】
また、記憶部４５５で記憶されている履歴情報にネットワーク接続に関する設定情報の履歴情報が含まれている場合には、ネットワーク接続に関する設定情報を適宜読み出すことができる。このため、例えば、ある時点と同じネットワーク設定を用いて、有価媒体処理装置１００を外部装置３００に接続することができる。したがって、例えば管理装置２００等の外部装置３００が入れ替わったり新たに追加されたりした場合等でネットワーク接続が上手くいかない場合であっても、過去のある時点の設定情報を用いることで（例えば過去のある時点の設定情報を参考にすることで）容易にネットワーク接続を行うことができる。
【０１０２】
有価媒体が紙葉類の場合には、記憶部４５５で記憶されている設定情報の履歴情報に紙葉類の識別情報（典型的には紙幣の記番号）を取得するか否かが含まれていてもよい。また、記憶部４５５で記憶されている設定情報の履歴情報には、エラー時に警告ブザー（図示せず）を発するか否か、収容部４８０内の有価媒体が満杯になっているかを確認するか否か、取込部２０から有価媒体を自動で取り込むか否か等も含まれてもよい。これらが含まれている場合には、これらに関しても、過去のある時点の設定情報を容易に復元することができる。
【０１０３】
また、装置制御部１５０が、取得された操作者情報に関連付けられた一つ以上の履歴情報を記憶部４５５から読み出すようになっている態様を採用した場合には、操作者は操作者情報を取得させるだけで、自己が過去に用いていた設定情報の履歴情報を読み出すことができる。この際、表示部４０５が、操作者情報に対応した操作者によって設定された又は利用された設定情報の履歴情報を、設定が行われた日時又は利用された日時を含めた態様で一覧表示させる場合には、操作者は自己が過去に設定した又は利用した設定情報を一覧で確認しつ、選択することができる。
【０１０４】
なお、履歴情報としては過去の設定情報が全て読み出される必要はなく、例えば取得された操作者情報に関連付けられた履歴情報のうち新しい情報を所定数（例えば５個）だけ記憶部４５５から読み出すようになっていてもよい。このような態様を採用した場合には、今から行う有価媒体処理装置１００における処理に必要となる可能性が高い設定情報のみを読み出すことができ、操作者がいずれの設定情報を選ぶべきなのかを迷う可能性を低減させることができる。ちなみに、所定の操作を行うことで、表示される「所定数」を増減させたり、過去の設定情報が全て読み出されたりするよう設定できてもよい。
【０１０５】
また、装置制御部１５０は、取得された操作者情報に関連付けられた履歴情報のうち最新の履歴情報を記憶部４５５から読み出す態様を採用した場合には、読み出された最新の履歴情報に基づいて有価媒体処理装置１００の設定を自動で行うことができる。このため、操作者は、何ら考えたり操作したりすることなく、常に、自らが過去に用いた最新の設定情報を利用して有価媒体処理装置１００による処理を行うことができる。
【０１０６】
記憶部４５５が項目毎に設定情報を記憶している場合には、読み出す必要がある項目の履歴情報のみを読み出して設定に用いることができる。例えば、あまり変更がない項目や有価媒体を処理するうえで重要とならない項目に関しては履歴情報を読み出さず、変更される頻度が比較的高い項目や有価媒体を処理するうえで重要な項目に関してのみ、履歴情報を読み出すようにしてもよい。このような態様を採用した場合には、必要な限度で履歴情報を活用することができ、操作者が有価媒体処理装置１００の設定を行う際の負担を軽減することができる。また、このような態様を採用した場合には、項目毎に異なる履歴情報を活用することもでき、例えば項目Ａと項目Ｂとで異なる操作者及び／又は異なる日時における設定情報を用いることもできる。このため、本態様によれば、行いたい処理に応じた設定情報をより柔軟に設定することができる。
【０１０７】
一例を示すならば、図６（ａ）に示すように「Fitness Value Setting」を選択すると、図６（ｂ）又は図６（ｃ）に示すような正損に関する設定情報の履歴情報が表示部４０５で一覧表示される。そして、一覧表示された履歴情報のうちのいずれかを選択すると、その時点における（図６（ｂ）に示す態様では２０１４年１月１３日の９時の時点における、また、図６（ｃ）に示す態様では２０１４年２月９日の１０時２９分の時点における）正損に関する設定情報が復元されて設定される。
【０１０８】
他方、図５（ａ）に示すように「All Setting」を選択すると、図５（ｂ）又は図５（ｃ）に示すような全ての項目に対する設定情報の履歴情報が表示部４０５で一覧表示される。そして、一覧表示された履歴情報のうちのいずれかを選択すると、その時点における（図５（ｂ）に示す態様では２０１４年１月１３日の９時の時点における、また、図５（ｃ）に示す態様では２０１４年１月１５日の１０時２０分の時点における）全ての項目に対する設定情報が復元されて設定される。
【０１０９】
他も同様である。つまり、「User Setting」を選択して表示部４０５で一覧表示された履歴情報のうちのいずれかを選択すると、その時点における主に操作者が設定する項目に対する設定情報が復元されて設定される。また、「Network Setting」を選択して表示部４０５で一覧表示された履歴情報のうちのいずれかを選択すると、その時点におけるネットワーク接続に関する設定情報が復元されて設定される。また、「Genuine Value Setting」を選択して表示部４０５で一覧表示された履歴情報のうちのいずれかを選択すると、その時点における真偽に関する設定情報が復元されて設定される。また、「Maintenance Setting」を選択して表示部４０５で一覧表示された履歴情報のうちのいずれかを選択すると、その時点における主にメンテナンス者が利用する項目に対する設定情報が復元されて設定される。
【０１１０】
そして、例えば、復元する正損に関する設定情報の日時及び／又は操作者と、復元する真偽に関する設定情報の日時及び／又は操作者とを異ならせて、復元することもできる。より具体的には、正損に関しては２０１４年２月９日の１０時２９分に操作者「１１１１１１」が設定又は利用した設定情報を用い、真偽に関しては２０１４年１月３０日の８時５５分に操作者「２２２２２２」が設定又は利用した設定情報を用いて、両者を組み合わせたものを設定情報とすることもできる。
【０１１１】
ちなみに復元されて設定された設定情報に基づいて適宜修正を加えることができるのは上述したとおりである。このため、例えば正損に関する設定情報が復元されて設定された後でも、当該正損に関する設定情報に含まれる正損要因の各々に対する閾値を変更して記憶部４５５に記憶させることができ、同様に、真偽に関する設定情報が復元されて設定された後でも、当該真偽に関する設定情報に含まれる真偽要因の各々に対する閾値を変更して記憶部４５５に記憶させることもできる。
【０１１２】
なお、例えば「Fitness Value Setting」又は「Genuine Value Setting」を選択した場合のように、装置制御部１５０が項目毎に設定情報の履歴情報を記憶部４５５から読み出して、当該履歴情報を表示部４０５が表示する態様を採用した場合には、操作者は自己が読み出したい項目の設定情報の履歴情報のみを表示部４０５で表示させて適宜選択することができるので、操作者の選択の負担を軽減することができる。
【０１１３】
また、例えば「All Setting」、「User Setting」、「Network Setting」又は「Maintenance Setting」を選択した場合のように、装置制御部１５０が複数の項目に対する設定情報の履歴情報を一度に記憶部４５５から読み出して、当該履歴情報を表示部４０５が表示する態様を採用した場合には、対象としている複数の項目に関して一度に設定情報の履歴情報を確認することができる。このため、複数回に分けて項目毎の設定情報の履歴情報を確認する必要がない点で有益である。
【０１１４】
上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【０１１５】
したがって、有価媒体処理装置としては図１及び図２に示すような態様には限られず、１つの集積部を有する紙葉類処理装置や、３つ以上の集積部８０’を有する紙葉類処理装置（図７参照）や、複数のリジェクト部１１０’（図７参照）を有する有価媒体処理装置１００’を採用することもできる。図７においては、図１及び図２に示した有価媒体処理装置１００と同様の機能を果たす部材に関しては、図１及び図２に示した有価媒体処理装置１００で割り当てた参照番号に「’」を付して示している。なお、紙葉類処理装置の典型的な例は紙幣処理装置である。
【０１１６】
また、有価媒体処理装置としては、図８に示すような硬貨処理装置を採用することもできる。図８に示す硬貨処理装置は、符号１６０は硬貨を収納するとともに収納された硬貨を繰り出す硬貨収容部（収容部４８０の一例）であり、符号１２０は取込部２０”から投入された硬貨を１枚ずつ硬貨収容部１６０まで入金経路に沿って搬送する入金硬貨搬送部であり、符号１８０は硬貨収容部１６０から繰り出された硬貨を出金経路に沿って搬送する出金硬貨搬送部であり、符号１９０は出金経路に繰り出されて出金硬貨搬送部１８０で搬送された硬貨を出金する硬貨払出部である。また、符号１２７は硬貨収容部１６０に含まれる金種別硬貨繰出収容部に対応して設けられた入金振分部であり、硬貨を取り込んで対応する金種別硬貨繰出収容部に硬貨を収納させるためのものであり、符号１２９は識別部６０”で金種等を識別することができなかった硬貨をリジェクト硬貨として振り分けるためのリジェクト振分部であり、符号Ｓは各種のセンサである。図８においては、図１及び図２に示した有価媒体処理装置１００と同様の機能を果たす部材に関しては、図１及び図２に示した有価媒体処理装置１００で割り当てた参照番号に「”」を付して示している。
【符号の説明】
【０１１７】
５            操作表示部（表示部）
６０          識別部
８０ａ，８０ｂ  集積部（収容部）
１００        有価媒体処理装置
１５０        装置制御部
１５５        装置記憶部（記憶部）
２００        管理装置
３００        外部装置
３０５        外部表示部
３５５        外部記憶部
４０５        表示部
４５５        記憶部
４８０        収容部
【図１】
2016091382.tif 000005
【図２】
2016091382.tif 000006
【図３】
2016091382.tif 000007
【図４】
2016091382.tif 000008
【図５】
2016091382.tif 000009
【図６】
2016091382.tif 000010
【図７】
2016091382.tif 000011
【図８】
2016091382.tif 000012